【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ベルトコンベヤであって、
前記ベルトコンベヤに備えられる少なくとも２つのプーリーのまわりを回転するベルトのエンドレスループであって、それにより、前記ベルトのさまざまな部分が運転中に商品を搬送するための上面を構成する、エンドレスループと、
少なくとも２つのプーリーを保持するフレームと、
ベルト支持装置であって前記ベルトが当該ベルト支持装置上を摺動できるように前記少なくとも２つのプーリーの間で前記ベルトを支持するように構成されたベルト支持装置と、
を備え、
前記ベルト当該ベルトの長さに沿って実質的に平らな中央部と、前記中央部の両側に設けられた２つの縁部領域と、を備え、少なくとも、前記縁部領域の少なくとも１つが前記ベルトの上面の一部を構成するときに、前記少なくとも１つの縁部領域は、前記エンドレスループにおける前記ベルトの反対部分に向かって傾斜する、ベルトコンベヤ。
【請求項２】
前記ベルトの前記縁部領域の少なくとも１つは、少なくとも、当該縁部領域の少なくとも１つが前記ベルトの上面の一部を構成するときに、前記ベルトコンベヤの長辺に沿って前記ベルトの丸みを帯びた縁部を形成する、請求項１に記載のベルトコンベヤ。
【請求項３】
前記ベルトの前記縁部領域は、前記エンドレスループにおける前記ベルトの反対部分に向かって内側に延びるように構成されたベルト位置決め装置をそれぞれ備え、前記ベルト位置決め装置は、前記ベルト支持装置の幅のすぐ外側、または前記ベルトを所定の位置に保持するための前記ベルト支持装置の案内要素に設けられるように構成される、請求項１または２に記載のベルトコンベヤ。
【請求項４】
前記ベルトコンベヤの少なくとも１つの長辺に部分的に沿って設けられた少なくとも１つの保持装置をさらに備え、前記少なくとも１つの保持装置が前記フレームに接続されて前記ベルト支持装置を保持するように構成される、請求項１から３の何れか１項に記載のベルトコンベヤ。
【請求項５】
前記保持装置が、前記ベルト支持装置の外側の前記少なくとも１つの縁部領域を前記ベルト支持装置とは異なる高さで支持するように構成され、前記ベルトの少なくとも１つの傾斜縁部を提供する、請求項４に記載のベルトコンベヤ。
【請求項６】
前記少なくとも１つの保持装置は、前記ベルト支持装置に接続された第１部分であって、前記少なくとも１つの縁部領域が前記ベルトの前記上面の一部を構成するときに当該少なくとも１つの縁部領域を支持するように構成された第１部分と、前記第１部分に接続されると共に前記フレームに接続される第２部分であって、前記少なくとも１つの縁部領域が前記ベルトの前記上面の一部でないときに当該少なくとも１つの縁部領域を支持するように構成される第２部分と、を備える、請求項５に記載のベルトコンベヤ。
【請求項７】
前記第１部分が、前記ベルトのベルト位置決め装置の方向制御のための案内要素を備える、請求項６に記載のベルトコンベヤ。
【請求項８】
前記ベルト支持装置が、前記ベルトの少なくとも１つのベルト位置決め装置の方向制御のための少なくとも１つの案内要素を備え、前記ベルト支持装置は、前記案内要素を備えた外側縁部部分であって、前記ベルト支持装置の残余の部分と異なる高さで前記ベルトの対応する外側縁部の支持を提供する外側縁部部分を備え、前記ベルトの少なくとも１つの傾斜縁部を提供する、請求項１から７のいずれか１項に記載のベルトコンベヤ。
【請求項９】
前記ベルトコンベヤは、前記ベルトコンベヤの少なくとも１つの長辺に部分的に沿って設けられた保持装置の外側に、前記コンベヤベルトの幅方向に突出する部分を有さず、前記少なくとも１つの保持装置は、前記フレームに接続され、前記ベルト支持装置を保持するように構成されている、請求項１から８の何れか１項に記載のベルトコンベヤ。
【請求項１０】
請求項１から９のいずれか１項に記載された少なくとも２つのベルトコンベヤを備えたベルトコンベヤシステムであって、前記少なくとも２つのベルトコンベヤが、互いに向かって傾斜した縁部領域と並んで配置され、前記ベルトコンベヤシステムの組み合わされた上面を提供する、ベルトコンベヤシステム。
【請求項１１】
請求項９に記載のベルトコンベヤシステムを備えたボックステンプレート製造システムであって、前記ベルトコンベヤシステムが、前記ボックステンプレートが前記ボックステンプレート製造システムから送られる方向を横切る方向における当該ベルトシステムでのボックステンプレートの輸送のために前記ボックステンプレート製造システムからの出口に設けられている、ボックステンプレート製造システム。
【請求項１２】
フレームと、
前記フレームの第１端部に隣接して配置された第１のプーリーと、
前記フレームの第２端部に隣接して配置された第２のプーリーと、
前記第１および第２のプーリーのまわりに巻かれて回転可能であるエンドレスベルトであって、前記第１および第２のプーリーの間に延在する対向する側面を有し、前記第１および第２のプーリーのまわりを回転するときに前記ベルトのさまざまな部分が上面を構成するようになっており、前記上面は、実質的に平らな中央部と、前記対向する側面に隣接する２つの縁部領域と、を備え、前記２つの縁部領域の少なくとも１つの縁部領域は前記ベルトの内部に向かって少なくとも部分的に角度が付けられる、エンドレスベルトと、
前記角度が付けられた配置で前記少なくとも１つの縁部領域を保持するように構成された保持装置と、
を備えるベルトコンベヤ。
【請求項１３】
前記ベルトがベルト支持装置上を滑ることを可能にして前記第１および第２のプーリーの間の前記ベルトを支持するように構成されたベルト支持装置をさらに備える請求項１２に記載のベルトコンベヤ。
【請求項１４】
前記保持装置は、前記ベルト支持装置を越えて横方向に延在する、請求項１３に記載のベルトコンベヤ。
【請求項１５】
前記保持装置は、前記ベルト支持装置に接続されている、請求項１３に記載のベルトコンベヤ。
【請求項１６】
前記保持装置は、前記ベルトの前記内部から前記少なくとも１つの縁部領域を支持するように構成される、請求項１２から１５のいずれか１項に記載のベルトコンベヤ。
【請求項１７】
前記ベルトは、前記ベルトの前記内部に向かって延在するベルト位置決め装置をさらに備える、請求項１２から１６のいずれか１項に記載のベルトコンベヤ。
【請求項１８】
前記保持装置は、前記ベルト位置決め装置と相互作用して回転中に前記ベルトを案内するように構成された案内要素を備える請求項１７に記載のベルトコンベヤ。
【請求項１９】
ボックスブランクを形成するように構成されたボックス製造機と、
前記ボックス製造機の出口に隣接して配置されるように構成されたベルトコンベヤシステムであって、前記ベルトコンベヤシステムは２つ以上のベルトコンベヤを備え、前記２つ以上のベルトコンベヤは、第１の方向に回転する一対のプーリーに取り付けられたエンドレスベルトを有し、各ベルトコンベヤのエンドレスベルトは、実質的に平らな中央部と少なくとも部分的に前記ベルトの内部に向かって角度が付けられた少なくとも１つの縁部領域とを備え、前記少なくとも１つの縁部領域は前記ベルトコンベヤの側面に沿って延在し、前記２つ以上のベルトコンベヤの前記少なくとも１つの縁部領域は、前記２つ以上のベルトコンベヤの側面が互いに隣接するように配置されたときに、前記２つ以上のベルトコンベヤの前記ベルトによって形成される組み合わされた上面に凹部を形成するように協調する、ベルトコンベヤシステムと、
を備えるボックステンプレート製造システム。
【請求項２０】
前記２つ以上のベルトコンベヤは、
前記角度が付けられた配置で前記少なくとも１つの縁部領域を保持するように構成された保持装置と、
前記ベルトがベルト支持装置上を滑ることを可能にして前記第１および第２のプーリーの間の前記ベルトを支持するように構成されたベルト支持装置と、
をさらに備える請求項１９に記載のボックステンプレート製造システム。